(57)【要約】【課題】  従来のエスカレーター用手摺ベルトは、転倒事故等を防止するための施策が施されておらず、安全施策として方向表示マーク等を備えたものでもエスカレーターの正面側用のみで側面側からの安全効果に欠けるものであった。【解決手段】  この問題を解決するため、手摺ベルト５を備えたエスカレーター１において、その移動方向を表示し、エスカレーター１に乗り込む際のタイミングを図る目印となる第１の方向表示マーク６Ａをその表面平坦部５Ａに、また第２の方向表示マーク６Ｂをその表面縁部５Ｂの範囲内に有する印刷シート６を前記手摺ベルト５の表面の長手方向に沿って備えるなどの構成とした。また、前記第１の方向表示マーク６Ａ相当部の大きさを表面平坦部５Ａから表面縁部５Ｂにかかるはみ出し部分６Ａａとするなどの構成とした。【選択図】図４
2018065688.tif 000002
【特許請求の範囲】
【請求項１】
往路から復路にかけて反転して移動し、乗客を輸送する踏段と、この踏段と同期して往路から復路にかけて反転して移動する手摺ベルトとを備えたエスカレーターにおいて、移動方向を表示し、前記エスカレーターに乗り移る際のタイミングを図る目印となる第１の方向表示マークをその表面平坦部に、また第２の方向表示マークをその表面縁部に有する印刷シートを前記手摺ベルトの表面に備え、前記第１の方向表示マークは手摺ベルトの表面平坦部の幅とほぼ同じ幅であって、前記第２の方向表示マークは手摺ベルトの表面縁部内であって、さらに前記印刷シートは、前記第１及び第２の方向表示マークを、該印刷シートの全長に複数個有することを特徴とするエスカレーターの転倒事故防止用手摺ベルト。
【請求項２】
請求項１に記載の手摺ベルトにおいて、前記第１の方向表示マーク相当部の大きさをその表面平坦部から表面縁部にかかるはみ出し部分を有する方向表示マークとしたことを特徴とするエスカレーターの転倒事故防止用手摺ベルト。
【発明の詳細な説明】
【技術分野】
【０００１】  本発明は、移動する踏段が傾斜路あるいは水平路を形成して乗客輸送を行うエスカレーターの転倒事故防止用手摺ベルトの構成に関する。
【背景技術】
【０００２】  従来においてエスカレーターの手摺ベルト表面に印刷シートを貼付けて広告表示を行う構成は、例えば特許文献１に開示されているように、既に提案されている。【０００３】  この特許文献１記載のエスカレーターの手摺ベルトは、手摺ベルトの表面長手方向に広告のみを表示した印刷シートを貼付けるようにしたものである。
【先行技術文献】
【特許文献】
【０００４】
【特許文献１】特開２００３−２１２４６８号公報
【発明の概要】
【発明が解決しようとする課題】
【０００５】  上記特許文献１に記載のものは、それの出願時の特許請求範囲の請求項１に「移動手摺の表面長手方向に広告物の印刷シールを貼付けた」とあるように広告媒体の提供を主眼としたものであって、この印刷シールによって乗客に対して転倒防止等の安全作用をもたらすという思想はなかった。【０００６】  一方、最近のエスカレーター利用においては、利用層の高齢化もあって、エスカレーターの乗り場で動く踏段に乗り移る際の体重移動のタイミングを失して転倒する事故が相次いでいる。これは、乗り移らんとして凝視する踏段の色が黒っぽく、踏段の動き（速度）が認識できないことに起因している。また、エスカレーターの動き方向が認識できず、逆乗り込みをしてしまう事象もある。さらに、上記特許文献１に記載の広告印刷のものは、単に文字や図柄を付したもので、手摺ベルトが動いていると文字や図柄があたかも一本の帯のように見えて方向表示の機能を発揮し得ないという問題があった。【０００７】  本発明の目的は、手摺ベルトの二表面部にこの手摺ベルトの移動方向を見易く表示し、もって転倒事故等を防止する構成としたエスカレーターの手摺ベルトを提供することにある。
【課題を解決するための手段】
【０００８】  上記目的を達成するために、本発明の請求項１は、往路から復路にかけて反転して移動し、乗客を輸送する踏段と、この踏段と同期して往路から復路にかけて反転して移動する手摺ベルトとを備えたエスカレーターにおいて、移動方向を表示し、前記エスカレーターに乗り込む際のタイミングを図る目印となる第１の方向表示マークをその表面平坦部に、また第２の方向表示マークをその表面縁部に有する印刷シートを前記手摺ベルトの表面に備え、前記第１の方向表示マークは手摺ベルトの表面平坦部の幅とほぼ同じ幅であって、前記第２の方向表示マークは手摺ベルトの表面縁部の範囲内であって、さらに前記印刷シートは、前記第１及び第２の方向表示マークを、該印刷シートの全長に複数個有するエスカレーターの転倒事故防止用手摺ベルトとしたのである。【０００９】  上記目的を達成するために、本発明の請求項２は、請求項１に記載の手摺ベルトにおいて、前記第１の方向表示マーク相当部の大きさをその表面平坦部から表面縁部にかかるようにしたはみ出し部分を有する方向表示マークとしたのである。
【発明の効果】
【００１０】  上記請求項１の構成によれば、手摺ベルトの移動方向を、エスカレーターの正面側には手摺ベルトの表面平坦部に設けられた第１の方向表示マークが、またエスカレーターの側面側には手摺ベルトの表面縁部の範囲内に設けられた第２の方向表示マークが存在することにより、エスカレーターの正面側あるいは側面側から乗り込まんとする利用者（乗客）がエスカレーターの正面側、側面側を問わず、その移動速度と方向が視覚的に認知できて、結果として踏段への乗り込みタイミング取りが容易となり、かつ逆乗り込み防止に役立つことになる。【００１１】  上記請求項２の構成によれば、請求項１の第１の方向表示マーク相当部を、その表面縁部まで拡大したはみ出し部分を設けて実質的に請求項１の第２の方向表示マークの機能を担う構成としたことにより、エスカレーターに乗り込まんとする利用者（乗客）がエスカレーターの正面側、側面側を問わず、その移動速度と方向が視覚的に認知できて、結果として踏段への乗り込みタイミング取りが容易となり、かつ逆乗り込み防止に役立つことになる。【００１２】  このように、本発明によれば転倒事故防止用手摺ベルトを備えたより安全なエスカレーターを提供することができる。
【図面の簡単な説明】
【００１３】
【図１】本発明の請求項１の一実施形態を示す全体側面図。
【図２】本発明の請求項１を説明する図１のＸ−Ｘ線に沿う部分断面図。
【図３】本発明の請求項１を説明する図２のＹ−Ｙ線に沿う部分断面図。
【図４】本発明の請求項１を説明する印刷シートの単体斜視図。
【図５】本発明の一実施形態を説明する図４相当の単体斜視図。
【図６】本発明の請求項２を説明する図４相当の単体斜視図。
【発明を実施するための形態】
【００１４】  以下、本発明の請求項１によるエスカレーターの手摺ベルトの一実施の形態を図１〜図５に、請求項２によるエスカレーターの手摺ベルトの一実施の形態を図６に示すエスカレーターに基づいて説明する。
【００１５】  本発明のエスカレーター１は、上階床２Ａと下階床２Ｂに装架される主フレーム３と、無端状に連結されて往路から復路にかけて反転して移動する多数の踏段４と、この踏段４と同期して往路から復路にかけて反転して移動するものでその断面形状が表面平坦部５Ａとこれに連なる表面縁部５Ｂとで略Ｃ字形の馬蹄形をなす幅Ｗ１の手摺ベルト５と、この手摺ベルト５の長手方向に沿い、その表面平坦部５Ａ（幅Ｗ２）から表面縁部５Ｂにかけて接着固定（図示省略）される長尺の印刷シート６が設けられている。
【００１６】  前記手摺ベルト５は、駆動歯車７の動力をチェーン８を介して駆動ローラ９等に伝達された動力によって摩擦駆動されるもので複路を案内ローラ１０、往路を欄干１１に案内され反転部１１Ａ、１１Ｂで折り返し反転して移動する構成となっている。このような構成のエスカレーター１が、通常は正面側が利用者動線に向けて設置される。また、エスカレーター１が建屋の壁沿いに設置される場合は、利用者がエスカレーター１の側面側から乗り込む設置レイアウトとなる。
【００１７】  そして本発明の請求項１の印刷シート６は手摺ベルト５の全長に貼付けられると共に、手摺ベルト５の表面平坦部５Ａには、エスカレーター１の正面側においてその移動方向を表示する第１の方向表示マーク６Ａが、目立ち易いように表面平坦部５Ａの幅Ｗ２いっぱいに印刷によって設けられている。また、手摺ベルト５の表面縁部５Ｂの範囲には、エスカレーター１の側面側においてその移動方向を表示する第２の方向表示マーク６Ｂが設けられている。これら第１及び第２の方向表示マーク６Ａ、６Ｂは、手摺ベルト５の全長方向に適宜の間隔で複数個設けられるものであるが、望ましくは手摺ベルト５の反転部の半円周範囲である高さＨ（図１、図２）内に少なくても１個存在する間隔Ｐａ、Ｐｂ（図４）をおいて複数個配置されており、いま乗り込まんとする利用者（乗客）がエスカレーター１を見ると正面側には第１の方向表示マーク６Ａが、側面側には第２の方向表示マーク６Ｂが欄干１１の高さである符号Ｈの範囲内に少なくても１個存在し、これら第１及び第２の方向表示マーク６Ａ、６Ｂにより移動速度の速度感と動き方向を確実に視覚に訴える作用を発揮するものである。また、これら第１及び第２の方向表示マーク６Ａ、６Ｂは、着色表現するために当然ながら印刷シート６の地色とは色が異なり（例えば黄色や白色）、そのマークも図４等に例示した菱形に限らず大きめの矢印や円形などでも不都合はない。
【００１８】  さらに、本発明の請求項２は図１の全体構成は請求項１と同様であるが、前記印刷シート６相当の請求項２の印刷シート６６は、請求項１の第１の方向表示マーク６Ａ相当部がそれよりは幅広の方向表示マーク６ＡＡを有し、それが手摺ベルト５の表面平坦部５Ａ（幅Ｗ２）から表面縁部５Ｂにかけてはみ出し部分６Ａａをもって上記第２の方向表示マーク６Ｂと同じ機能を担う（エスカレーター１の側面側においてその移動方向を表示する）構成となっている。この場合、請求項２の方向表示マーク６ＡＡは、上記間隔Ｐａ、Ｐｂ等と同じような寸法の間隔Ｐｃを有している。このように、請求項２の方向表示マーク６ＡＡは、前記第１及び第２の方向表示マーク６Ａ、６Ｂの機能を併せ持っているので、前記第２の方向表示マーク６Ｂは必ずしも必要ないものであるが、場合によっては第２の方向表示マーク６Ｂを図６の中に図４と同様に配置しておくことも可能である。また、この方向表示マーク６ＡＡは手摺ベルト５の全長方向に適宜の間隔で複数個設けられるものであるが、望ましくは手摺ベルト５の反転部の半円周範囲である高さＨ（図１、図２に示す）内に少なくても１個存在する間隔Ｐｃ（図６）をおいて複数個配置されるものである。そして、いま乗り込まんとする利用者（乗客）がエスカレーター１を見ると、正面側においては符号Ｈの範囲内に少なくても１個存在する方向表示マーク６ＡＡが、側面側においてははみ出し部分６Ａａが、エスカレーター１の移動速度の速度感と動き方向を確実に視覚に訴えるという作用を発揮するものである。加えて、方向表示マーク６ＡＡは、着色表現するために当然ながら印刷シート６６の地色とは色が異なり（例えば黄色や白色）、そのマークも図６に例示した菱形に限らず大きめの矢印や円形などでも不都合はない。
【００１９】  また、本発明の一実施形態を説明する図４に示すように第１の方向表示マーク６Ａの間隔Ｐａ内に注意文字（例えば「手摺を掴むこと」など）や広告を表示する表示部６Ｃを設ける場合は、第１の方向表示マーク６Ａよりも幅狭な表示部６Ｃとして第１の方向表示マーク６Ａ等の効果を表示面積の面で減殺しないようにしつつ、注意喚起や広告効果を訴求するものである。このことは、方向表示マーク６ＡＡの間隔Ｐｃ内に表示部６Ｃを設ける場合も同様である。このように、第１及び第２の方向表示マーク６Ａ、６Ｂや、表示部６Ｃ等を印刷した印刷シート６、それに方向表示マーク６ＡＡや表示部６Ｃを印刷した印刷シート６６は、手摺ベルト５の全長に貼付けて設けられるものである。
【００２０】  ここで、印刷シート６及び６６の詳細は、手摺ベルト５への接着層、印刷が施されるシート層に加え、表面のラミネート層などで構成される。
【００２１】  以上説明したように、本発明の請求項１及び２による二表面部の表示機能により手摺ベルト５の移動方向を正面側と側面側から見易く表示し、もってエスカレーターでの転倒事故や逆乗り等を防止することができる。
【産業上の利用可能性】
【００２２】  なお、上記の実施形態は、一般のエスカレーター構造を例に説明したが、隣接踏段同士に段差を有しない動く歩道と通称されるエスカレーターにもそのまま適用することができる。
【符号の説明】
【００２３】  １  エスカレーター
４  踏段
５  手摺ベルト
５Ａ  表面平坦部
５Ｂ  表面縁部
６、６６  印刷シート
６Ａ  第１の方向表示マーク
６Ｂ  第２の方向表示マーク
６ＡＡ  方向表示マーク
６Ａａ  はみ出し部分
６Ｃ  表示部
【図１】
2018065688.tif 000003
【図２】
2018065688.tif 000004
【図３】
2018065688.tif 000005
【図４】
2018065688.tif 000006
【図５】
2018065688.tif 000007
【図６】
2018065688.tif 000008